(57)【要約】【課題】加圧部分にセンサを設置することなく精度のよい接触力測定を行うことができるパンタグラフの接触力測定方法及び接触力測定装置を提供する。【解決手段】本発明は、すり板体１１０の舟体１２０に対する相対変位を、ラインＣＣＤカメラ１５０によってこれらを撮像した撮像結果に基づいて求め、この相対変位を二階微分してすり板体１１０の舟体１２０に対する相対加速度を算出する。この相対加速度に基づいて求めたすり板体１１０の慣性力Ｆｉと、相対変位に基づいて求めたすり板体付勢バネ１１２の反力Ｆｒとを加算してパンタグラフ１００の接触力Ｆとする。【選択図】図３
2008185457.tif 000002
【特許請求の範囲】
【請求項１】
トロリ線に接触する摺動部、該摺動部を車体に対して昇降可能に支持する支持部、該支持部に対して前記摺動部を前記トロリ線方向に付勢する第１のバネ要素、及び、前記車体に対して前記支持部を前記トロリ線方向に付勢する第２のバネ要素を備えるパンタグラフにおいて、前記摺動部の前記トロリ線に対する接触力を測定するパンタグラフの接触力測定方法であって、
前記摺動部及び前記支持部を撮像した撮像結果に基づいて前記摺動部の前記支持部に対する相対変位を求め、
前記相対変位を二階微分して前記摺動部の前記支持部に対する相対加速度を求め、
前記相対加速度に基づいて前記摺動部の慣性力を求め、
前記相対変位に基づいて前記第１のバネ要素の反力を求め、
前記慣性力及び前記反力を加算して前記接触力を求めることを特徴とするパンタグラフの接触力測定方法。
【請求項２】
前記車体に対する前記支持部の相対変位を求め、
前記支持部の相対変位を二階微分して前記支持部の前記車体に対する相対加速度を求め、
前記支持部の前記車体に対する相対加速度に基づいて、前記摺動部の前記トロリ線への接触力を補正することを特徴とする請求項１に記載のパンタグラフの接触力測定方法。
【請求項３】
前記車体に対する前記支持部の相対変位はレーザ変位計などの非接触センサによって求めることを特徴とする請求項２に記載のパンタグラフの接触力測定方法。
【請求項４】
前記車体の加速度を求め、
前記車体の加速度に基づいて、前記摺動部の前記トロリ線への接触力を補正することを特徴とする請求項１乃至３に記載のパンタグラフの接触力測定方法。
【請求項５】
トロリ線に接触する摺動部、該摺動部を車体に対して昇降可能に支持する支持部、該支持部に対して前記摺動部を前記トロリ線方向に付勢する第１のバネ要素、及び、前記車体に対して前記支持部を前記トロリ線方向に付勢する第２のバネ要素を備えるパンタグラフにおいて、前記摺動部の前記トロリ線に対する接触力を測定するパンタグラフの接触力測定方法であって、
前記摺動部及び前記支持部を撮像した撮像結果に基づいて前記摺動部の前記支持部に対する相対変位を求め、
前記摺動部の前記支持部に対する相対変位に基づいて前記第１のバネ要素の反力を求め、
前記摺動部を撮像した撮像結果に基づいて撮像部に対する前記摺動部の変位を求め、
前記摺動部の前記撮像部に対する変位を二階微分して前記摺動部の加速度を求め、
前記加速度に基づいて前記摺動部の慣性力を求め、
前記反力及び前記慣性力を加算して前記接触力を求めることを特徴とするパンタグラフの接触力測定方法。
【請求項６】
前記撮像部に作用する加速度に基づいて、前記摺動部の慣性力を補正すること
を特徴とする請求項５に記載のパンタグラフの接触力測定方法。
【請求項７】
前記摺動部は舟体及び前記舟体に固定されたすり板を含み、
前記支持部は前記舟体を前記車体に対して昇降可能に支持する枠体を含むこと
を特徴とする請求項１乃至６に記載のパンタグラフの接触力測定方法。
【請求項８】
前記支持部は舟体及び該舟体を前記車体に対して昇降可能に支持する枠体を含み、
前記摺動部は前記舟体に対して前記第１のバネ要素を介して相対変位可能に支持されたすり板を含むことを特徴とする請求項１乃至６に記載のパンタグラフの接触力測定方法。
【請求項９】
前記支持部は、舟体及び該舟体を前記車体に対して昇降可能に支持する枠体を含み、
前記摺動部は、前記舟体に対して複数の前記第１のバネ要素を介してそれぞれ相対変位可能に支持された複数のすり板を含み、
複数の前記第１のバネ要素についてそれぞれ求めた前記慣性力及び前記反力を加算して前記摺動部の前記トロリ線への接触力を求めること
を特徴とする請求項１乃至６に記載のパンタグラフの接触力測定方法。
【請求項１０】
前記摺動部及び前記支持部の撮像をラインＣＣＤカメラによって行うことを特徴とする請求項１乃至９に記載のパンタグラフの接触力測定方法。
【請求項１１】
前記摺動部及び前記支持部を撮像する撮像手段のブレを検出し、該ブレに応じて前記撮像手段の光軸方向を変化させることを特徴とする請求項１乃至１０に記載のパンタグラフの接触力測定方法。
【請求項１２】
前記摺動部の前記支持部に対する相対変位と前記第１のバネ要素の反力との相関、及び、前記摺動部の加速度と前記摺動部の慣性力との相関を予めベンチ試験で求めることを特徴とする請求項１乃至１１に記載のパンタグラフの接触力測定方法。
【請求項１３】
トロリ線に接触する摺動部、該摺動部を車体に対して昇降可能に支持する支持部、該支持部に対して前記摺動部を前記トロリ線方向に付勢する第１のバネ要素、及び、前記車体に対して前記支持部を前記トロリ線方向に付勢する第２のバネ要素を備えるパンタグラフにおいて、前記摺動部の前記トロリ線に対する接触力を測定するパンタグラフの接触力測定装置であって、
前記摺動部及び前記支持部を撮像する撮像手段と、
前記撮像手段の撮像結果に基づいて前記摺動部の前記支持部に対する相対変位を求める相対変位算出手段と、
前記相対変位を二階微分して前記摺動部の前記支持部に対する相対加速度を求める摺動部相対加速度算出手段と、
前記相対加速度に基づいて前記摺動部の慣性力を求める摺動部慣性力算出手段と、
前記相対変位に基づいて前記第１のバネ要素の反力を求めるバネ反力算出手段と、
前記慣性力及び前記反力を加算して前記接触力を求める接触力算出手段と、を備えることを特徴とするパンタグラフの接触力測定装置。
【請求項１４】
前記車体に対する前記支持部の相対変位を求める支持部相対変位検出手段と、
前記支持部の相対変位を二階微分して前記支持部の前記車体に対する相対加速度を求める支持部相対加速度算出手段と、
前記支持部の前記車体に対する相対加速度に基づいて、前記摺動部の前記トロリ線への接触力を補正する接触力補正手段と、を備えることを特徴とする請求項１３に記載のパンタグラフの接触力測定装置。
【請求項１５】
前記支持部相対変位検出手段はレーザ変位計などの非接触センサを有することを特徴とする請求項１４に記載のパンタグラフの接触力測定装置。
【請求項１６】
前記車体の加速度を求める車体加速度検出手段を備え、
前記接触力補正手段は、前記車体の加速度に基づいて、前記摺動部の前記トロリ線への接触力を補正することを特徴とする請求項１４又は１５に記載のパンタグラフの接触力測定装置。
【請求項１７】
トロリ線に接触する摺動部、該摺動部を車体に対して昇降可能に支持する支持部、該支持部に対して前記摺動部を前記トロリ線方向に付勢する第１のバネ要素、及び、前記車体に対して前記支持部を前記トロリ線方向に付勢する第２のバネ要素を備えるパンタグラフにおいて、前記摺動部の前記トロリ線に対する接触力を測定するパンタグラフの接触力測定装置であって、
前記摺動部及び前記支持部を撮像する撮像手段と、
前記撮像手段の撮像結果に基づいて前記摺動部の前記支持部に対する相対変位を求める相対変位算出手段と、
前記摺動部の前記支持部に対する相対変位に基づいて前記第１のバネ要素の反力を求めるバネ反力算出手段と、
前記撮像手段の撮像結果に基づいて前記摺動部の撮像部に対する変位を求める摺動部変位検出手段と、
前記摺動部の前記撮像部に対する変位を二階微分して前記摺動部の加速度を求める加速度算出手段と、
前記加速度に基づいて前記摺動部の慣性力を求める摺動部慣性力算出手段と、
前記反力及び前記慣性力を加算して前記接触力を求める接触力算出手段と、を備えることを特徴とするパンタグラフの接触力測定装置。
【請求項１８】
前記撮像部に作用する加速度を検出する撮像部加速度検出手段と、
前記撮像部に作用する加速度に基づいて前記摺動部の慣性力を補正する慣性力補正手段とを備えることを特徴とする請求項１７に記載のパンタグラフの接触力測定装置。
【請求項１９】
前記摺動部は、舟体及び該舟体に固定されたすり板を含み、
前記支持部は、前記舟体を前記車体に対して昇降可能に支持する枠体を含むこと
を特徴とする請求項１３乃至１８に記載のパンタグラフの接触力測定装置。
【請求項２０】
前記支持部は、舟体及び該舟体を前記車体に対して昇降可能に支持する枠体を含み、
前記摺動部は、前記舟体に対して前記第１のバネ要素を介して相対変位可能に支持されたすり板を含むことを特徴とする請求項１３乃至１８に記載のパンタグラフの接触力測定装置。
【請求項２１】
前記支持部は、舟体及び該舟体を前記車体に対して昇降可能に支持する枠体を含み、
前記摺動部は、前記舟体に対して複数の前記第１のバネ要素を介してそれぞれ相対変位可能に支持された複数のすり板を含み、
前記接触力算出手段は、複数の前記第１のバネ要素についてそれぞれ求めた前記慣性力及び前記反力を加算して前記摺動部の前記トロリ線への接触力を求めることを特徴とする請求項１３乃至１８に記載のパンタグラフの接触力測定装置。
【請求項２２】
前記撮像手段はラインＣＣＤカメラを備えることを特徴とする請求項１３乃至２１に記載のパンタグラフの接触力測定装置。
【請求項２３】
前記撮像手段のブレを検出するブレ検出手段と、
前記撮像手段のブレに応じて前記撮像手段の光軸方向を変化させるブレ補正駆動手段とを備えることを特徴とする請求項１３乃至２２に記載のパンタグラフの接触力測定装置。
【発明の詳細な説明】
【技術分野】
【０００１】
本発明は、電気鉄道におけるトロリ線とパンタグラフのすり板体との間に作用する接触力を測定する方法及び装置に関する。特には、より少ない数のセンサで精度の良い接触力測定を行うことができるパンタグラフの接触力測定方法及び接触力測定装置に関する。
【背景技術】
【０００２】
現状の営業用の電気鉄道においては、トロリ線からパンタグラフを介して車両に電力を送る方式が一般的である。トロリ線とパンタグラフのすり板体との接触力は、トロリ線の高さ変動や車両・パンタグラフの振動等によって変動する。この接触力の変化が大きすぎると、パンタグラフのすり板体がトロリ線から離れる離線が生じるおそれがある。離線が頻発すると、すり板体とトロリ線との間にスパークが生じてすり板体の損耗が進み問題となる。また、離線に至らない場合でも、パンタグラフの接触力は極力変動の小さいほうがよい。
【０００３】
そこで、電車の走行中のトロリ線とパンタグラフとの接触力を測定し、得られた測定結果を離線の抑制対策の参考としたいとの要望がある。あるいは、このような接触力の測定技術は、離線の抑制対策だけではなく、トロリ線−パンタグラフ系の集電性能の評価や、電車線の設備診断方法の１つとして活用することも考えられている。
【０００４】
このようなパンタグラフの接触力測定技術として、以下が公知である。
（１）舟体支持バネの伸縮量を測定し、この伸縮量から同バネの押圧力を計算して接触力を求める。舟体支持バネの伸縮量は、舟体と舟体支持パイプの間の寸法を渦電流式や光学式の距離センサを用いて測定する（例えば、特許文献１を参照）。
ところが、この方法では、舟体（すり板を含む）の慣性力が無視されることとなり、接触力の測定誤差が生じ易い。
（２）舟体に取り付けた２種類のひずみゲージ（変位測定用及び揚力測定用）から舟体のひずみ（曲げモーメント）を測定するとともに、舟体に取り付けた加速度センサから舟体の加速度（慣性力）を推定し、これらの測定値に基づいて接触力を求める（例えば、特許文献２参照）。この方法においては、既存のパンタグラフを特別に加工する必要がなく、接触力を連続的に測定できる。
（３）舟体を支持する復元バネの両端に設置した光源を異方倍率レンズつきのＣＣＤカメラで撮像し、バネの復元力を算出して接触力を求める（例えば、特許文献３参照）。
【特許文献１】特開平７−２９１００１号公報
【特許文献２】特開平１１−１３６８０４号公報
【特許文献３】特開２００１−２３５３１０号公報
【発明の開示】
【発明が解決しようとする課題】
【０００５】
しかし、上記したように、加速度センサを用いて慣性力を求める従来技術においては、ひずみゲージと加速度センサとをそれぞれ設置する必要があることからセンサ数が多くなってその配置が複雑となる。特に、複数のすり板を配列したいわゆる多分割タイプのすり板を有するパンタグラフの場合には、複数のすり板に加速度センサを装着するとともに、これらを支持する複数のバネにもひずみゲージを装着する必要があることから、全体としてセンサ数が多くなって煩雑である。
さらに、すり板や舟体のようにトロリ線を介して高電圧が印加される部分（加圧部分）に加速度センサを装着する場合、加速度センサの出力をテレメータを用いて車体側に伝達する必要がある。このため、テレメータ本体やその電源の設置によって測定装置の構成がより複雑化し、またテレメータの使用に際して、測定実施場所の法規によっては免許の取得等が必要となる。
また、ＣＣＤカメラによる撮像結果から接触力を求める方法の場合、加圧部分にセンサの設置をする必要はなくなるが、舟体の慣性力が無視されることによって測定誤差が生じ易い。
【０００６】
本発明は、上記の課題に鑑みてなされたものであって、加圧部分にセンサを設置することなく精度の良い接触力測定を行うことができるパンタグラフの接触力測定方法及び接触力測定装置を提供することを課題とする。
【課題を解決するための手段】
【０００７】
上記の課題を解決するため、本発明のパンタグラフの接触力測定方法は、トロリ線に接触する摺動部、該摺動部を車体に対して昇降可能に支持する支持部、該支持部に対して前記摺動部を前記トロリ線方向に付勢する第１のバネ要素、及び、前記車体に対して前記支持部を前記トロリ線方向に付勢する第２のバネ要素を備えるパンタグラフにおいて、前記摺動部の前記トロリ線に対する接触力を測定するパンタグラフの接触力測定方法であって、前記摺動部及び前記支持部を撮像した撮像結果に基づいて前記摺動部の前記支持部に対する相対変位を求め、前記相対変位を二階微分して前記摺動部の前記支持部に対する相対加速度を求め、前記相対加速度に基づいて前記摺動部の慣性力を求め、前記相対変位に基づいて前記第１のバネ要素の反力を求め、前記慣性力及び前記反力を加算して前記接触力を求めることを特徴とする。
【０００８】
本発明によれば、撮像結果に基づいて摺動部の支持部に対する相対変位を求め、これを二階微分して相対加速度を求めてこの相対加速度から摺動部の慣性力を求めるとともに、この相対変位に基づいて第１のバネ要素の反力を求めることによって、パンタグラフの加圧部分にひずみゲージや加速度センサ等を設けることなく、摺動部の慣性力を考慮した精度の良い接触力測定を行うことができる。
なお、本明細書、請求の範囲等において、「慣性力」とは、摺動部に作用する上下方向の加速度に対応する接触力の成分を指すものとする。
【０００９】
本発明のパンタグラフの接触力測定方法においては、前記車体に対する前記支持部の相対変位を求め、前記支持部の相対変位を二階微分して前記支持部の前記車体に対する相対加速度を求め、前記支持部の前記車体に対する相対加速度に基づいて、前記摺動部の前記トロリ線への接触力を補正することができる。
【００１０】
この場合、摺動部と支持部との相対加速度と、摺動部の絶対加速度との誤差に起因する慣性力の誤差を補正して、より精度良くパンタグラフの接触力を測定することができる。
また、この場合には、車体に対する前記支持部の相対変位をレーザ変位計などの非接触センサによって求めることができる。
【００１１】
さらに上述した場合において、前記車体の加速度を求め、前記車体の加速度に基づいて、前記摺動部の前記トロリ線への接触力を補正することができる。
この場合、支持部と車体との相対加速度と、支持部の絶対加速度との誤差に起因する慣性力の誤差を補正して、よりいっそう精度良くパンタグラフの接触力を測定することができる。
【００１２】
また、本発明のパンタグラフの接触力測定方法は、前記摺動部を撮像した撮像結果に基づいて撮像部に対する前記摺動部の変位を求め、前記摺動部の前記撮像部に対する変位を二階微分して前記摺動部の加速度を求め、前記加速度に基づいて前記摺動部の慣性力を求めることもできる。
【００１３】
この場合、撮像部から見た摺動部の絶対変位を測定することができ、この絶対変位に基づいて摺動部の慣性力を求めることによって、車体に対する支持部の変位に起因する誤差を低減することができる。
また、この場合においては、前記撮像部に作用する加速度に基づいて、前記摺動部の慣性力を補正することができる。これによって、この加速度に起因する撮像部のブレの影響を低減し、より精度良く接触力を測定することができる。
【００１４】
本発明のパンタグラフの接触力測定方法においては、典型的には前記摺動部は舟体及び前記舟体に固定されたすり板を含み、前記支持部は前記舟体を前記車体に対して昇降可能に支持する枠体を含む構成とすることができる。
【００１５】
また、前記支持部は舟体及び該舟体を前記車体に対して将校可能に支持する枠体を含み、前記摺動部は前記舟体に対して前記第１のバネ要素を介して相対変位可能に支持されたすり板を含む構成とすることができる。
【００１６】
そして、前記支持部は、舟体及び該舟体を前記車体に対して昇降可能に支持する枠体を含み、前記摺動部は、前記舟体に対して複数の前記第１のバネ要素を介してそれぞれ相対変位可能に支持された複数のすり板を含み、複数の前記第１のバネ要素についてそれぞれ求めた前記反力及び前記慣性力を加算して前記摺動部の前記トロリ線への接触力を求める構成とすることができる。
この場合、複数のすり板体にそれぞれ加速度センサやひずみゲージを設けることなく各すり板体の慣性力を求めることができるので、センサを大幅に簡素化することができる。
【００１７】
本発明のパンタグラフの接触力測定方法においては、前記摺動部及び前記支持部の撮像をラインＣＣＤカメラによって行うことができる。
この場合、ラインＣＣＤは二次元画像を撮像するカメラよりも時間分解能、空間分解能に優れるため、異方倍率レンズや高速度カメラといった特殊な装置を必要とせずに摺動部の支持部に対する相対変位をより精度良く検出することができ、パンタグラフの接触力の測定精度を向上することができる。
【００１８】
本発明のパンタグラフの接触力測定方法においては、前記摺動部及び前記支持部を撮像する撮像手段のブレを検出し、該ブレに応じて前記撮像手段の光軸方向を変化させることができる。これによって、車両の走行による振動に起因する撮像手段のブレを補正し、パンタグラフの接触力の測定精度をよりいっそう向上することができる。
【００１９】
さらに、本発明においては、前記摺動部の前記支持部に対する相対変位と前記第１のバネ要素の反力との相関、及び、前記摺動部の加速度と前記摺動部の慣性力との相関を予めベンチ試験で求めることができる。
【００２０】
また、本発明のパンタグラフの接触力測定装置は、トロリ線に接触する摺動部、該摺動部を車体に対して昇降可能に支持する支持部、該支持部に対して前記摺動部を前記トロリ線方向に付勢する第１のバネ要素、及び、前記車体に対して前記支持部を前記トロリ線方向に付勢する第２のバネ要素を備えるパンタグラフにおいて、前記摺動部の前記トロリ線に対する接触力を測定するパンタグラフの接触力測定装置であって、前記摺動部及び前記支持部を撮像する撮像手段と、前記撮像手段の撮像結果に基づいて前記摺動部の前記支持部に対する相対変位を求める摺動部相対変位算出手段と、前記相対変位を二階微分して前記摺動部の前記支持部に対する相対加速度を求める摺動部相対加速度算出手段と、前記相対加速度に基づいて前記摺動部の慣性力を求める摺動部慣性力算出手段と、前記相対変位に基づいて前記第１のバネ要素の反力を求めるバネ反力算出手段と、前記慣性力及び前記反力を加算して前記接触力を求める接触力算出手段と、を備えることを特徴とする。
【００２１】
本発明においては、前記車体に対する前記支持部の相対変位を求める支持部相対変位検出手段と、前記支持部の相対変位を二階微分して前記支持部の前記車体に対する相対加速度を求める支持部相対加速度算出手段と、前記支持部の前記車体に対する相対加速度に基づいて、前記摺動部の前記トロリ線への接触力を補正する接触力補正手段と、を備える構成とすることができる。
この場合には、前記支持部相対変位検出手段はレーザ変位計などの非接触センサを有する構成とすることができる。
【００２２】
さらに、本発明においては、前記車体の加速度を求める車体加速度検出手段を備え、前記接触力補正手段は、前記車体の加速度に基づいて、前記摺動部の前記トロリ線への接触力を補正する構成とすることができる。
【００２３】
また、本発明のパンタグラフの接触力測定装置は、撮像手段の撮像結果に基づいて前記摺動部の撮像部に対する変位を求める摺動部変位検出手段と、前記摺動部の前記撮像部に対する変位を二階微分して前記摺動部の加速度を求める加速度算出手段を備える構成とすることができる。
この場合、前記撮像部に作用する加速度を検出する撮像部加速度検出手段と、前記撮像部に作用する加速度に基づいて前記摺動部の慣性力を補正する慣性力補正手段とを備える構成とすることができる。
【００２４】
本発明においては、前記摺動部は、舟体及び該舟体に固定されたすり板を含み、前記支持部は、前記舟体を前記車体に対して昇降可能に支持する枠体を含む構成とすることができる。
また、本発明においては、前記支持部は、舟体及び該舟体を車体に対して昇降可能に支持する枠体を含み、前記摺動部は、前記舟体に対して前記第１のバネ要素を介して相対変位可能に支持されたすり板を含む構成とすることができる。
さらに、本発明においては、前記支持部は、舟体及び該舟体を前記車体に対して昇降可能に支持する枠体を含み、前記摺動部は、前記舟体に対して複数の前記第１のバネ要素を介してそれぞれ相対変位可能に支持された複数のすり板体を含み、前記接触力算出手段は、複数の前記第１のバネ要素についてそれぞれ求めた前記慣性力及び前記反力を加算して前記摺動部の前記トロリ線への接触力を求める構成とすることができる。
【００２５】
本発明において、前記撮像手段はラインＣＣＤカメラを備える構成とすることができる。
また、本発明において、前記撮像手段のブレを検出するブレ検出手段と、前記撮像手段のブレに応じて前記撮像手段の光軸方向を変化させるブレ補正駆動手段とを備える構成とすることができる。
【発明の効果】
【００２６】
以上のように、本発明によれば、摺動部及び舟体を撮像した撮像結果に基づいて摺動部の変位を求め、これを二階微分して相対加速度を求めるとともに、撮像結果に基づいて求めた摺動部と支持部との相対変位に基づいて第１のバネ要素の反力を求めることによって、パンタグラフの加圧部分にひずみゲージや加速度センサ等を設けることなく、摺動部の慣性力を考慮した精度の良い接触力測定を行うことができる。
【発明を実施するための最良の形態】
【００２７】
以下、図面を参照しつつ説明する。なお、以下の説明では、通常の鉄道車両の技術におけるのと同様に、レールの長手方向（車両の進行方向）を前後方向、軌道面におけるレール長手方向と直角をなす方向を左右方向（車幅方向）、軌道面に垂直な方向を上下方向と呼ぶ。
【００２８】
＜第１の実施形態＞
まず、本発明の第１の実施形態について説明する。
図１は、接触力の測定対象となるパンタグラフの周辺を前方側から見た状態を示す模式的立面図である。
図２は、パンタグラフ系の集中質量・バネモデルを示す図である。
車体屋根１に搭載されたパンタグラフ１００は、図１の上から下に向かって、すり板体１１０、舟体１２０、枠体１３０、台枠１４０等を備えて構成されている。
【００２９】
すり板体１１０は、トロリ線（給電線）Ｔに接触し、車両の走行時にはトロリ線Ｔと摺動して導通を確保するプレート状の部材であって、例えば鉄系や銅系の焼結合金製、あるいは、カーボン系材料からなる。トロリ線Ｔは、ほぼ車両の進行方向に沿って延びているが、すり板体１１０の局所的な磨耗を防止するため、すり板体１１０の有効幅内において蛇行して配置されている。
本実施の形態において、すり板体１１０は舟体１２０に対して相対変位可能に支持された可動式すり板であって、また、車幅方向に配列された複数のすり板体要素（コマ）１１１からなる多分割すり板となっている。
【００３０】
個々のすり板体要素１１１は、すり板体付勢バネ（第１のバネ要素）１１２を介して舟体１２０に支持されている。すり板体付勢バネ１１２は、各すり板体要素１１１の車幅方向における両端部にそれぞれ設けられている。また、一対のすり板体要素１１１が隣接する箇所においては、これらの中間に配置された一つのすり板体付勢バネ１１２が双方のすり板体要素１１１にそれぞれ接続されている。
【００３１】
また、すり板体要素１１１は、隣接する他のすり板体要素１１１と、例えば銅製薄板等の弾性連結部材１１３（図３参照。）によって接続され、例えば１つのすり板体要素１１１が変位した場合には、近隣の他のすり板体要素１１１も連動して変位する。この点については後に詳しく説明する。
【００３２】
舟体１２０は、車幅方向に延びる梁状の部材であって、上述したすり板体１１０を支持する。上述したすり板体１１０を構成する個々のすり板体要素１１１は、すり板体付勢バネ１１２の伸縮に応じて舟体１２０に対して上下方向に相対変位する。
【００３３】
枠体１３０は、舟体１２０を車体に対して上下方向に変位可能に支持する。同枠体１３０は、リンク機構を備えており、すり板体１１０がトロリ線Ｔに接した上昇状態と、パンタグラフ１００の不使用時にすり板体１１０がトロリ線Ｔから離間した下降状態とをとることができる。
また、枠体１３０は、舟体１２０をトロリ線方向（上方）に押し上げる方向に付勢する枠体付勢バネ（第２のバネ要素）を備えている。枠体付勢バネは、例えば、エアシリンダやコイルバネを備えている。
【００３４】
台枠１４０は、車体屋根１に固定され、枠体１３０の下端部を支持するパンタグラフ１００の基部である。また、台枠１４０と車体屋根１との間には、絶縁用の碍子１４１が設けられている。
【００３５】
さらに、本実施形態においては、ラインＣＣＤカメラ１５０、レーザ変位計１６０、及び、図示しない加速度センサが設けられている。
ラインＣＣＤカメラ１５０は、すり板体１１０を構成するすり板体要素１１１と舟体１２０とを動画撮像するものであり、一次元的に配列された複数の撮像素子（ラインＣＣＤセンサ）を備えている。この撮像素子の配列方向（走査線方向）は、すり板体１１０の舟体１２０に対する上下方向の相対変位と対応する方向に配置されている。また、ラインＣＣＤカメラ１５０には、その撮像結果（画像出力）に所定の画像処理を施し、舟体１２０に対するすり板体要素１１１の相対変位を算出する図示しない画像処理手段が設けられている。
なお、図１、２等において、ラインＣＣＤカメラ１５０は例えば１つのみ図示するが、本実施形態のような多分割すり板の場合において、測定が必要な箇所が複数存在する場合には、各測定箇所に対応して複数のラインＣＣＤカメラ１５０を設けるとよい。
【００３６】
さらに、ラインＣＣＤカメラ１５０には、ブレ検出用のＣＣＤカメラ１５１、ＸＹトラッカ１５２、情報処理装置１５３、サーボモータ１５４を備えている。
ＣＣＤカメラ１５１は、２次元画像を撮像する撮像手段であり、すり板体１１０に設けられた図示しない追尾対象マークを含む画像を撮像する。
ＸＹトラッカ１５２は、ＣＣＤカメラ１５１が出力する画像信号を処理し、この画像内における追尾対象マークの横方向（車幅方向）における画素位置変化を検出する。
情報処理装置１５３は、典型的にはパーソナルコンピュータを備えて構成され、ＸＹトラッカ１５２の出力に基づいて、ＣＣＤカメラ１５１が撮像した画像内において追尾対象マークの画素位置が横方向に変化した場合に、追尾対象マークの画素位置をもとの位置へ復帰させるようにサーボモータ１５４に制御信号を出力する。
上述した構成により、ラインＣＣＤカメラ１５０は、車両の走行による横方向の振動に関わらず、撮像対象部の横方向へのずれが防止されている。
レーザ変位計１６０は、台枠１４０に対する舟体１２０の上下方向変位を検出するものである。
また、加速度センサは、車体の上下方向加速度を検出するものである。
【００３７】
次に、本実施の形態のパンタグラフの接触力測定方法について説明する。
まず、集中質量とバネを用いたモデルを用いた数値計算によって多分割すり板の復元力及び慣性力を求める方法について説明する。
ここで、図２に示すように、すり板体の質量をｍ１、舟体及び枠の質量をｍ２、すり板体付勢バネ１１２のバネ定数をｋ１、すり板体、舟体、台枠（車体）の変位をそれぞれｘ１，ｘ２，ｘ３とする。
なお、実際にはすり板体付勢バネ１１２、枠体付勢バネのそれぞれに対応する減衰要素が存在するが、これらはともに影響が微小であり接触力に対する寄与が小さいことから無視しても差支えない。
【００３８】
図２に示したモデルの運動方程式は、質点ｍ１に加振力Ｆ（ｔ）が加わるとすると、
【数１】
2008185457.tif 000003
となる。
【００３９】
式１をラプラス変換し、ベクトル
【数２】
2008185457.tif 000004
で整理すると、
【数３】
2008185457.tif 000005
となる。ただし、初期値を０としているのは、平衡点からの変化分に注目しているためである。
【００４０】
式２の左辺の行列の逆行列をＡとし、式２の両辺にかけると、
【数４】
2008185457.tif 000006
となる。ところで、ｘ３は実際の車両では台枠の変位、つまり車両の上下変位に相当する。車両の上下変位が非常に小さいと仮定すると、式３は、
【数５】
2008185457.tif 000007
と変換できる。
【００４１】
ところで、図２でバネ定数ｋ１をもつすり板体付勢バネ１１２による復元力Ｆｅは、すり板体１１０と舟体１２０との相対変位により決定するので、
【数６】
2008185457.tif 000008
となる。
【００４２】
また、慣性力Ｆｉは、すり板質量とすり板加速度により決定するので、
【数７】
2008185457.tif 000009
となる。
【００４３】
ここで、ｓ領域における接触力に対する慣性力Ｆｉと復元力Ｆｒの比をそれぞれＲｉ（ｓ），Ｒｅ（ｓ）とすると、
【数８】
2008185457.tif 000010
となる。
【００４４】
これを周波数領域で考えると、
【数９】
2008185457.tif 000011
となり、周波数ごとの寄与度がわかる。
但し、Ａ１１，ｊω，Ａ２１，ｊωは、それぞれＡ１１，Ａ２１を周波数領域に置き換えたものである。式８では複素数のままであるので、その絶対値をとった値を用いて結果を表示する。
【００４５】
次に、上述した計算を行うための各定数の設定について説明する。
本実施形態において、上記計算に用いるｍ１は、０．７ｋｇとする。
また、ｍ２＝１６．６ｋｇとする。
また、バネ定数は約１４０００Ｎ／ｍとする。
【００４６】
本実施の形態に係るパンタグラフにおいては、例えば約１０．３Ｈｚまでは慣性力の寄与は低く接触力全体に占める割合が２割以下となり、復元力の寄与が大きくなる。一方、１１Ｈｚ以上では接触力全体に占める慣性力の寄与が２割以上となり、２０Ｈｚ以上では慣性力が接触力全体を占めるようになる。
なお、実際には慣性力及び復元力のほかに、減衰力及び空気力が接触力に影響する。しかし、減衰力の寄与は小さく実質的に無視できる場合が多い。また、空気力の寄与も小さいが、必要であれば風洞試験等によってパンタグラフ１００の揚力係数ＣＬを測定し、これと車両の走行速度から空気力を求め接触力を補正してもよい。
【００４７】
トロリ線Ｔを支持するハンガ間の周期が５ｍである場合、車両が３６０ｋｍ／ｈで走行すると、ハンガ由来の加振力の周波数は２０Ｈｚとなるので、接触力測定においては３０Ｈｚ程度の周波数帯まで精度を確保することが求められる。図５より、慣性力を考慮しない場合には接触力測定の精度が保証される周波数は１０Ｈｚ程度となってしまうので、この要求を満たすことができない。
【００４８】
そこで、本実施の形態では、ラインＣＣＤカメラ１５０ですり板体１１０及び舟体１２０を撮像した撮像結果を画像処理してすり板体１１０のすり板体要素１１１の加速度を求めている。つまり、ラインＣＣＤカメラ１５０の出力からｘ１とｘ２の相対変位ｘ１−ｘ２が測定でき、ｘ１−ｘ２＝ｇ（ε）として表すことができる。このとき、ｘ１−ｘ２の時間の二階微分をとると、
【数１０】
2008185457.tif 000012
となる。
【００４９】
そして、すり板体要素１１１の加速度を、
【数１１】
2008185457.tif 000013
で代用すると、
【数１２】
2008185457.tif 000014
となる。
【００５０】
そこで、
【数１３】
2008185457.tif 000015
の寄与が低ければ、すり板体要素１１１と舟体１２０との相対変位を測定することによって慣性力を推定し、接触力を測定することができる。
【００５１】
ここで、舟体１２０の加速度とすり板体要素１１１の質量とを積算した力である
【数１４】
2008185457.tif 000016
を測定できないとき、共振点付近では１３％程度の力を測定できなくなり誤差となる。ところが、
【数１５】
2008185457.tif 000017
は舟体の変位、つまり車体（台枠）に対する枠の上下運動を観測することで測定することができる。ここで、この値は車体の上下方向変位が小さい場合には
【数１６】
2008185457.tif 000018
とほぼ一致するから、レーザ変位計１６０によって台枠１４０に対する舟体１２０の上下方向変位を測定し、これを二階微分した値によって接触力を補正し、測定精度を向上することができる。
【００５２】
また、車体の上下方向加速度が無視できない程度に大きい場合においては、式１においてｘ１−ｘ２＝ｘ１２，ｘ２−ｘ３＝ｘ２３とすると、
【数１７】
2008185457.tif 000019
となる。
【００５３】
ここで、
【数１８】
2008185457.tif 000020
は、車体に設けられた加速度センサによって測定することができる。
従って、加速度センサの出力を用いて接触力の補正を行うことによって、さらに測定精度を向上することができる。
【００５４】
図３は、本実施の形態のパンタグラフの接触力測定方法を示すフローチャートである。
以下、ステップ毎に順を追って説明する。
＜ステップＳ０１：ラインＣＣＤ撮像＞
ラインＣＣＤカメラ１５０によって、すり板体１１０を構成するすり板体要素１１１のうち測定対象となるもの、及び、舟体１２０を含む画像を撮像する。
＜ステップＳ０２：すり板体−舟体相対変位検出＞
ステップＳ０１において撮像された画像データに画像処理を施し、舟体１２０に対するすり板体１１１の相対変位ｘ１−ｘ２を算出する。
＜ステップＳ０３：すり板体−舟体相対変位の時間二階微分＞
ステップＳ０２において算出された舟体１２０に対するすり板体要素１１１の相対変位ｘ１−ｘ２を時間で二階微分する。
＜ステップＳ０４：すり板体−舟体相対加速度算出＞
ステップＳ０３における舟体１２０に対するすり板体要素１１１の相対変位ｘ１−ｘ２の二階微分結果を、すり板体要素１１１の舟体１２０に対する相対加速度とする。
【００５５】
＜ステップＳ０５：舟体−車体相対変位検出＞
レーザ変位計１６０によって舟体１２０の車体に対する相対変位ｘ２−ｘ３を検出する。
＜ステップＳ０６：舟体−車体相対変位時間二階微分＞
ステップＳ０５において求めた舟体１２０の車体に対する相対変位ｘ２−ｘ３を時間で二階微分する。
＜ステップＳ０７：舟体―車体相対加速度算出＞
ステップＳ０６における舟体１２０の車体に対する相対変位ｘ２−ｘ３の時間二階微分結果を、舟体１２０の車体に対する相対加速度とする。
【００５６】
＜ステップＳ０８：車体加速度算出＞
車体に備えられた図示しない加速度センサを用いて、車体の上下方向の加速度（絶対加速度）を検出する。
【００５７】
＜ステップＳ０９：各加速度加算＞
ステップＳ０４において求めたすり板体要素１１１の舟体１２０に対する相対加速度、ステップＳ０７において求めた舟体１２０の車体に対する相対加速度、及び、ステップＳ０８において検出した車体の上下方向の加速度を加算し、すり板体１１１の絶対加速度を算出する。
＜ステップＳ１０：ベンチ試験による等価質量算出＞
事前にパンタグラフ１００のベンチ試験を行い、すり板体要素１１１の等価質量ｍ１及びすり板体付勢バネ１１２の等価バネ定数ｋ１を算出しておく。
＜ステップＳ１１：すり板体要素絶対加速度と等価質量を乗算＞
ステップＳ０９において求めたすり板体要素１１１の絶対加速度と、ステップＳ１０において求めたすり板体要素１１１の等価質量とを乗算し、すり板体要素１１１の慣性力Ｆｉを算出する。
【００５８】
＜ステップＳ１２：変位に基くバネ反力の算出＞
ステップＳ０２において算出された舟体１２０に対するすり板体要素１１１の相対変位（すり板体付勢バネ１１２の伸縮量）と、上述したベンチ試験によって求めたすり板体付勢バネ１１２のバネ定数とに基づいて、すり板体付勢バネ１１２の反力（復元力）Ｆｒを算出する。
【００５９】
＜ステップＳ１３：慣性力と反力の加算による接触力の算出＞
ステップＳ１１において算出された慣性力Ｆｉと、ステップＳ１２において算出された反力Ｆｒとを合算し、パンタグラフ１００の接触力Ｆを算出する。
ここで、測定対象となるパンタグラフが複数のすり板体要素１１１とすり板体付勢バネ１１２とを有する多分割すり板を備えたものであるときは、個々のすり板体付勢バネ１１２のひずみからそれぞれ算出した接触力を、全てのバネについて合算することによってパンタグラフ１００の接触力Ｆを求めることができる。
【００６０】
次に、上述した本実施の形態の効果を、以下説明する本発明の比較例と対比して説明する。なお、比較例の説明において、上述した本実施の形態と共通する箇所については同じ符号を付して説明を省略する。
図４は、比較例におけるパンタグラフの接触力測定における集中質量・バネモデルとセンサの配置を示す模式図である。
比較例においては、すり板体付勢バネ１１２に、その伸縮に伴うひずみを検出するひずみゲージ１７０が装着されている。このひずみゲージ１７０としては、例えば、ファイバ・ブラッグ・グレーティング（ＦＢＧ）光ファイバセンサ等が用いられる。ひずみゲージ１７０は、すり板体付勢バネ１１２に直接貼り付けてもよく、またすり板体付勢バネ１１２の上面もしくは下面に小さな梁をわたして、ここに貼り付けてもよい。
【００６１】
また、比較例においては、すり板体１１０を構成するすり板体要素１１１に、その加速度を検出する加速度センサ１８０を装着している。ここで、すり板体要素１１１は、トロリ線Ｔから供給される高電圧が印加された加圧部であることから、加速度センサ１８０の出力は、図示しないテレメータ装置を用いて車体側に伝送される。
【００６２】
図５は、比較例のパンタグラフの接触力測定方法を示すフローチャートである。以下、ステップ毎に順を追って説明する。
＜ステップＳ５１：すり板体加速度測定＞
加速度センサ１８０を用いてすり板体要素１１１に作用する加速度を測定する。
＜ステップＳ５２：加速度に基く慣性力の算出＞
ステップＳ５１において算出されたすり板体要素１１１の加速度に基づいて、すり板体要素１１１に作用する慣性力を算出する。
＜ステップＳ５３：すり板体付勢バネひずみ測定＞
すり板体付勢バネ１１２のひずみを、ひずみゲージ１７０を用いて測定する。
＜ステップＳ５４：ひずみに基くバネ反力の算出＞
ステップＳ５３において測定されたすり板体付勢バネ１１２のひずみと、上述したベンチ試験によって求めたすり板体付勢バネ１１２のバネ定数とに基づいて、すり板体付勢バネ１１２の反力（復元力）を算出する。
＜ステップＳ５５：慣性力と反力の合算による接触力の算出＞
ステップＳ５２において算出された慣性力と、ステップＳ５４において算出された反力とを合算し、パンタグラフ１００の接触力を算出する。
【００６３】
比較例においては、加速度センサ１８０からの出力
【数１９】
2008185457.tif 000021
とひずみゲージ１７０の出力εから接触力を求めている。この場合、ひずみから直接バネ反力Ｆｒは測定できないため、予めベンチ試験によって関数Ｆｒ＝ｆ（ε）を用意し、得られたひずみから反力を求めている。また、加速度からも直接的に慣性力Ｆｉが得られるわけではないので、ベンチ試験によって
【数２０】
2008185457.tif 000022
を用意し、得られた加速度から慣性力を求めている。そして、慣性力Ｆｉと反力Ｆｒを合算してパンタグラフの接触力を求めている。
【００６４】
比較例においては、パンタグラフ１００の接触力測定に際し、加速度センサ１８０をすり板体要素１１１の各コマに装着するとともに、ひずみゲージ１７０を個々のすり板体付勢バネ１１２に装着する必要があることから、センサ数が多くなり、測定装置の構成やセンサの設置作業が煩雑となる。また、加速度センサ１８０の出力はテレメータを用いて車体側に伝送する必要があるから、テレメータ装置の設置、電源の確保も煩雑であり、さらにテレメータの使用に際して法規等に応じて免許の取得等が必要な場合もある。
【００６５】
これに対し、本実施の形態によれば、すり板体１１０及び舟体１２０をラインＣＣＤカメラ１５０で撮像した撮像結果を画像処理して、これらの相対変位ｘ１−ｘ２を求めることができる。この変位を時間で二階微分することによって、
【数２１】
2008185457.tif 000023
を求め、同様にベンチ試験で得た慣性力の式
【数２２】
2008185457.tif 000024
から慣性力を求める。
【００６６】
ただし、上述した式では
【数２３】
2008185457.tif 000025
の項が余分に含まれてしまい誤差になり得るが、すり板体の質量が軽い場合にはこの項による影響は無視し得る程度まで小さくなるため、高い精度でパンタグラフの接触力を測定することができる。
また、すり板体の質量が比較的大きい場合であっても、上述したようにレーザ変位計１６０の出力から求めた車体に対する舟体の相対加速度、及び、車体に設けた加速度センサによって求めた車体の絶対加速度を用いて、すり板体の加速度を補正することによって、測定精度を確保することができる。
【００６７】
また、本実施の形態によれば、比較例のようにすり板体に加速度センサを設けたり、すり板体付勢バネにひずみゲージを設ける必要がないため、センサ数を低減し、さらにテレメータ装置及びその電源等も不要となり、測定準備作業や測定装置の構成を簡素化することができる。
さらに、ラインＣＣＤカメラ１５０に装着したＣＣＤカメラ１５１の画像出力をＸＹトラッカ１５２及び情報処理装置１５２によって処理し、サーボモータ１５４によってラインＣＣＤカメラ１５０が所定の撮像対象部を追尾することから、車幅方向（枕木方向）の振動に関わらず、パンタグラフの接触力測定を精度よく行うことができる。
【００６８】
＜第２の実施形態＞
次に、本発明の第２の実施形態について説明する。
第２の実施形態においては、ラインＣＣＤカメラ１５０の撮像結果に基づいて、直接車体に対するすり板体要素１１１の変位を検出している。
また、第２の実施形態においては、第１の実施形態におけるレーザ変位計１６０は用いず、一方ラインＣＣＤカメラ１５０の振動による上下方向加速度を検出する図示しない加速度センサが設けられる。
【００６９】
図６は、第２の実施形態におけるパンタグラフの接触力測定方法を示すフローチャートである。以下、ステップ毎に順を追って説明する。
＜ステップＳ２１：ラインＣＣＤ撮像＞
ラインＣＣＤカメラ１５０によって、すり板体１１０を構成するすり板体要素１１１のうち測定対象となるもの及び舟体１２０を含む画像を撮像する。
＜ステップＳ２２：すり板体変位検出＞
ステップＳ２１において撮像された画像データに画像処理を施し、すり板体１１１の絶対変位ｘ１を算出する。
＜ステップＳ２３：すり板体変位の時間二階微分＞
ステップＳ２２において算出されたすり板体要素１１１の絶対変位ｘ１を時間で二階微分する。
＜ステップＳ２４：すり板体加速度算出＞
ステップＳ２３におけるすり板体要素１１１の絶対変位ｘ１の二階微分結果を、すり板体要素１１１の絶対加速度とする。
【００７０】
＜ステップＳ２５：車体加速度算出＞
車体に備えられた図示しない加速度センサを用いて、車体の上下方向の加速度（絶対加速度）を検出する。
【００７１】
＜ステップＳ２６：ラインＣＣＤカメラ加速度検出＞
ラインＣＣＤカメラ１５０に備えられた加速度センサによって、車両等の振動に起因してラインＣＣＤカメラ１５０に発生する上下方向の加速度を検出する。
＜ステップＳ２７：すり板体加速度補正値算出＞
ステップＳ２４において求めたすり板体要素１１１の加速度を、
【数２４】
2008185457.tif 000026
ステップＳ２５において求めた車体の加速度を、
【数２５】
2008185457.tif 000027
ステップＳ２６において求めたラインＣＣＤカメラ１５０の振動による加速度を、
【数２６】
2008185457.tif 000028
とすると、ラインＣＣＤカメラ１５０の振動に起因する加速度によるすり板体要素１１１の加速度測定結果への影響は、ラインＣＣＤカメラ１５０の設置位置、角度、レンズの焦点距離などにより決定される定数αを、ラインＣＣＤカメラ１５０の加速度
【数２７】
2008185457.tif 000029
に乗じた値として、すり板体要素１１１の加速度
【数２８】
2008185457.tif 000030
に加えられる。そのため、ラインＣＣＤカメラ１５０の撮像結果生データに基づいて得られるすり板体要素１１１の加速度は、
【数２９】
2008185457.tif 000031
である。そこで、ラインＣＣＤカメラ１５０の振動による加速度の影響を減じるために、測定された加速度に対して定数αをラインＣＣＤカメラ１５０の加速度に乗じた補正値
【数３０】
2008185457.tif 000032
を算出する。
【００７２】
＜ステップＳ２８：各加速度加算＞
ステップＳ２４において算出したすり板体要素１１１の加速度
【数３１】
2008185457.tif 000033
に、ステップＳ２５で求めた車体の加速度
【数３２】
2008185457.tif 000034
及び、ステップＳ２７で求めた補正値
【数３３】
2008185457.tif 000035
を加算する補正を行う。これによって、上述したラインＣＣＤカメラ１５０の振動による影響の補正に加え、車体に設けられた加速度センサによって検出された車体の加速度を用いた補正を行うことで、すり板体要素１１１の絶対加速度を精度よく測定することができる。
【００７３】
＜ステップＳ２９：ベンチ試験による等価質量算出＞
事前にパンタグラフ１００のベンチ試験を行い、すり板体要素１１１の等価質量ｍ１及びすり板体付勢バネ１１２の等価バネ定数ｋ１を算出しておく。
＜ステップＳ３０：すり板体要素絶対加速度と等価質量を乗算＞
ステップＳ２８において求めたすり板体要素１１１の絶対加速度と、ステップＳ２９において求めたすり板体要素１１１の等価質量とを乗算し、すり板体要素１１１の慣性力Ｆｉを算出する。
【００７４】
＜ステップＳ３１：すり板体−舟体相対変位検出＞
ステップＳ０１において撮像された画像データに画像処理を施し、舟体１２０に対するすり板体１１１の相対変位ｘ１−ｘ２を算出する。
＜ステップＳ３２：変位に基くバネ反力の算出＞
ステップＳ３１において算出された舟体１２０に対するすり板体要素１１１の相対変位（すり板体付勢バネ１１２の伸縮量）と、上述したベンチ試験によって求めたすり板体付勢バネ１１２のバネ定数とに基づいて、すり板体付勢バネ１１２の反力（復元力）Ｆｒを算出する。
【００７５】
＜ステップＳ３３：慣性力と反力の加算による接触力の算出＞
ステップＳ３０において算出された慣性力Ｆｉと、ステップＳ３２において算出された反力Ｆｒとを合算し、パンタグラフ１００の接触力Ｆを算出する。
以上説明した第２の実施形態においても、上述した第１の実施形態と同様の効果を得ることができる。
【００７６】
（他の実施の形態）
なお、本発明は上記した実施の形態のみに限定されるものではなく、種々の応用や変形が考えられる。例えば、上記実施の形態を応用した次の各形態を実施することもできる。
（１）上述した実施の形態では、ラインＣＣＤカメラを用いてすり板体と舟体との相対変位を検出しているが、本発明はこれに限らず、一般的な二次元画像を撮像するＣＣＤカメラ、ＣＭＯＳカメラ等の撮像装置を用いてもよい。
（２）上述した実施の形態は、舟体に対して変位可能な多分割すり板を備えたパンタグラフに係るものであったが、本発明はこれに限らず、分割されていない一体型の可動式すり板を備えたパンタグラフにも適用することができる。また、すり板体が舟体に対して一定的に固定されたパンタグラフにも適用することができる。この場合、上述した集中質量・バネモデルにおいて、すり板体と舟体の質量の合計をｍ１とし、枠体の質量をｍ２とするとよい。
（３）上述した第１の実施形態においては、舟体の加速度を、レーザ変位計で測定した車体と舟体との相対変位に基づいて求めているが、本発明はこれに限らず、他の方法によって舟体の加速度を検出してもよい。例えば、舟体に加速度センサを装着して舟体の絶対加速度を直接検出してもよい。
【図面の簡単な説明】
【００７７】
【図１】本発明の第１の実施の形態に係る電気鉄道のパンタグラフ周辺を示す模式的立面図である。
【図２】第１の実施の形態のパンタグラフの集中質量・バネモデルを示す図である。
【図３】第１の実施の形態に係るパンタグラフの接触力測定方法を示すフローチャートである。
【図４】本発明の比較例におけるパンタグラフの接触力測定における集中質量・バネモデルとセンサの配置を示す模式図である。
【図５】本発明の比較例であるパンタグラフの測定方法を示すフローチャートである。
【図６】本発明の第２の実施の形態に係るパンタグラフの接触力測定方法を示すフローチャートである。
【符号の説明】
【００７８】
１    車体屋根
１００    パンタグラフ
１１０    すり板体
１１１    すり板体要素（コマ）
１１２    すり板体付勢バネ
１１３    弾性結合部材
１２０    舟体
１３０    枠体
１４０    台枠
１４１    碍子
１５０    ラインＣＣＤカメラ
１６０    レーザ変位計
【図１】
2008185457.tif 000036
【図２】
2008185457.tif 000037
【図３】
2008185457.tif 000038
【図４】
2008185457.tif 000039
【図５】
2008185457.tif 000040
【図６】
2008185457.tif 000041